(57)【要約】  本発明は、使用者の皮膚（９０）から体毛（９１）を引き抜くための脱毛装置（１）に関するものであり、適用材料（５０）を蒸発させるように適応される蒸発器ユニット（１０）を有する。これは、蒸発した適用材料（５１）が使用方向（Ｂ）に対して脱毛ヘッド（８０）の前方に適用されるように蒸発器を構成することにより、脱毛前に適用材料の薄い膜を適用して皮膚を冷却することを可能にする。また、蒸発した適用材料（５１）が使用方向（Ｂ）に対して脱毛ヘッド（８０）の後方に適用されるように蒸発器を構成した場合は、脱毛後にリフレッシュするための適用材料を適用して皮膚を鎮静することも考慮され得る。いくつかの実施形態では、適用材料（５０）は冷却ユニット（１３）で冷却されるか、又は加熱ユニット（１２）で加熱されて、適用材料（５０）の冷却又は温熱効果を増強する。
2011515131.tif 000002
【特許請求の範囲】
【請求項１】
使用者の皮膚（９０）から体毛（９１）を引き抜くための脱毛装置（１）であって、
適用材料（５０）を蒸発させるように適応される蒸発器ユニット（１０）を有し、
操作中、前記脱毛装置が使用者の皮膚（９０）上を前進する使用方向（Ｂ）に対して脱毛ヘッド（８０）の前方にある立体角エリアに、蒸発した適用材料（５１）を提供するように、前記蒸発器ユニット（１０）が構成されて、前記蒸発した適用材料の冷却効果が前記皮膚を脱感作する、脱毛装置。
【請求項２】
前記蒸発した適用材料（５１）の照明のために適応される照明ユニット（２０）を備える、請求項１に記載の脱毛装置。
【請求項３】
前記照明ユニット（２０）が、第１の明色と第２の明色との間で切り替え可能なように構成される、請求項１及び２に記載の脱毛装置。
【請求項４】
ブロアユニット（４０）及び／又は吸引ユニットを備える、請求項１〜３のいずれか一項に記載の脱毛装置。
【請求項５】
前記蒸発器ユニット（１０）が、前記適用材料（５１）をガスと混合するために適応される、請求項１〜４のいずれか一項に記載の脱毛装置。
【請求項６】
前記適用材料を冷却するための冷却ユニット（１３）を備える、請求項１〜５のいずれか一項に記載の脱毛装置。
【請求項７】
前記適用材料を加熱するための加熱ユニット（１２）を備える、請求項１〜６のいずれか一項に記載の脱毛装置。
【請求項８】
前記適用材料（５０）を貯蔵するために適応される容器（１５）を備える、請求項１〜７のいずれか一項に記載の脱毛装置。
【請求項９】
前記容器（１５）が、取り外し可能に装着される、請求項１〜８に記載の脱毛装置。
【請求項１０】
前記脱毛装置が、手持ち部（１’）と、蒸発器（１１）を収納する蒸発器ステーション（１０’）と、を備え、
操作中、前記蒸発した適用材料を移送するように適応される蒸気コネクタ（１８）によって、前記手持ち部（１’）と前記蒸発器ステーション（１０’）とが接続され、
前記蒸発器ステーション（１０’）と前記蒸気コネクタ（１８）とが、前記蒸発器ユニット（１０）の部分である、請求項１〜９のいずれか一項に記載の脱毛装置。
【請求項１１】
前記コネクタ（１８）が、前記手持ち部（１’）に取り外し可能に装着される、請求項１〜１０に記載の脱毛装置。
【請求項１２】
前記蒸発器ユニット（１０）を制御するための制御ユニット（６０）を有する、請求項１〜１１のいずれか一項に記載の脱毛装置。
【発明の詳細な説明】
【技術分野】
【０００１】
本発明は、脱毛装置に関するものであり、具体的には、体毛が引き抜かれる皮膚のエリアに適用材料を提供する手段を有する脱毛装置に関する。
【背景技術】
【０００２】
冒頭の文節による脱毛装置は既知のものである。例えば、ドイツ実用新案公報第ＤＥ  ９４  ９０  ２６８  Ｕ１号は、流体を用いて皮膚を湿潤する手段を有する脱毛装置を開示しており、この流体は、例えば皮膚と接触する湿潤ローラーを介して、皮膚と接触する手段によって皮膚に直接に適用される。
【０００３】
特許出願第ＦＲ  ２  ４５４  ２８３号は、リフレッシュ材料を適用するために手動操作される噴霧器を備える脱毛装置について記載している。
【先行技術文献】
【特許文献】
【０００４】
【特許文献１】実用新案公報第ＤＥ  ９４  ９０  ２６８  Ｕ１号
【特許文献２】特許出願第ＦＲ  ２  ４５４  ２８３号
【発明の概要】
【発明が解決しようとする課題】
【０００５】
既知の脱毛装置に勝る改善された脱毛装置を提供することが望まれる。
【０００６】
そのような改善された脱毛装置を、独立請求項１の主題によって提供する。実施形態は従属項によって定義される。
【課題を解決するための手段】
【０００７】
提案のような脱毛装置は、使用者の皮膚から体毛を引き抜くために構成されるものであり、適用材料を蒸発させるための蒸発器ユニットを有する。蒸発した適用材料は、脱毛装置の通常操作中、使用者の皮膚を覆う。蒸発する適用材料の冷却効果によって皮膚を脱感作し、脱毛装置の使用者の体毛の引き抜きによる痛みを減らす。提案の脱毛装置の蒸発器ユニットは、通常操作中、使用者の皮膚上を脱毛装置が前進する使用方向に対して脱毛ヘッドの前方にある立体角エリアに、蒸発した適用材料を提供するように構成される。次に、蒸発した適用材料が脱毛プロセスの前に皮膚のエリアに提供されて、冷却効果によって皮膚を脱感作し、脱毛される皮膚のエリアを準備する。例えば加熱適用材料の適用など、他の任意の皮膚の前処理を追加することができる。この適用材料は、また、メントールのような皮膚助成物質又は冷却剤のような追加物質を含むことができる。通常の皮膚温で蒸発する液体適用材料の場合、皮膚に提供される蒸発した適用材料の薄い膜はすばやく蒸発して、皮膚の熱エネルギーを低下させる。また、例えば、体毛が引き抜かれた後の皮膚に、蒸発した適用材料が提供された場合は、冷却効果が皮膚をリフレッシュ又は鎮静することができる。蒸発した適用材料が非常に微細な液滴の形態（エアロゾル）で適用されるにつれ、これらの液滴は非常に薄い膜となり、すばやく蒸発することができる。
【０００８】
別の実施形態では、脱毛装置は、蒸発した適用材料の照明のために適応される照明ユニットを含む。照明は、蒸発した適用材料の適用を使用者が見ることができるようにする。また、照明ユニットは、視覚的ガイダンスとしての役割も果たす。照明ユニットは、第１の明色と第２の明色との間で切り替え可能である。例えば青色と赤色のような２つの異なる明色は、蒸発した適用材料を皮膚に提供するときに脱毛装置が冷却効果又は加熱効果のいずれを採用しているかを使用者に示すことができる。
【０００９】
更なる実施形態では、脱毛装置はブロアユニット及び／又は吸引ユニットを有する。これらの装置は、例えば、皮膚を覆う適用材料の蒸発を支援するガスストリームを生成するように構成できる。ブロアユニットは、冷却又は加熱効果を増強するようガスストリームを皮膚に向ける前に、それぞれガスストリームを冷却又は加熱するように構成できる。
【００１０】
また更なる実施形態では、蒸発器ユニットは、例えば、少量の適用材料を適用材料貯留器から放出するガスストリームを有することによって、適用材料をガスと混合するように適用される。ガスと蒸発した適用材料との混合物が皮膚に向けられるとき、ガスは、例えば、適用材料の蒸発を支援し、かつ皮膚を冷却する。
【００１１】
一実施形態では、脱毛装置は、適用材料の冷却及び／又は加熱のための冷却ユニット及び／又は加熱ユニットを有する。冷却された適用材料を適用することは、冷却効果を増強する。加熱された適用材料の適用は、適用材料による鎮静効果を支援する。
【００１２】
別の実施形態では、脱毛装置は、適用材料を貯蔵する容器を備える。容器を交換可能に構成し、容器をそれぞれ取り外し可能に装着することができる。これは、例えば、空容器を容易に交換すること、あるいは、１つの容器を、予定された脱毛手順にとってより好適な異なる適用材料を含有する別の容器と交換することを、可能にする。
【００１３】
一実施形態では、脱毛装置は、手持ち部と蒸発器ステーションとを有し、それら両方が蒸気コネクタによって接続されている。蒸発器ステーションには蒸発器が収納される。蒸気コネクタは、蒸発器ステーションから手持ち部に、蒸発した適用材料を移送するように適応される。蒸気コネクタは、蒸発した適用材料を皮膚に適用せずに脱毛装置を使用すべきときに使用者が蒸気コネクタを取り外すことができるように、手持ち部に取り外し可能に装着できる。
【００１４】
更なる実施形態では、脱毛装置は、例えば、蒸発器ユニットをオン若しくはオフに切り替えるために、又は時間単位毎に提供される適用材料の量を選択的に制御するために、蒸発器ユニットを選択的に制御する制御ユニットを有する。加熱ユニット及び／又は冷却ユニットを伴う実施形態では、制御装置は、これらのユニットを制御するために、かつこれらの装置をオン若しくはオフに選択的に切り替える及び／又は適用材料の温度を制御するために、適応可能である。照明装置及び／又はブロア／吸引ユニットを伴う実施形態では、制御ユニットは、これらのユニットも制御するように適応可能である。
【図面の簡単な説明】
【００１５】
本発明について、図の参照及びいくつかの代表的な実施形態の説明によって更に詳細に説明する。
【図１】提案の脱毛装置の代表的な実施形態の略図。
【図２】脱毛装置が手持ち部と蒸発器ステーションとを有する提案の脱毛装置の別の代表的な実施形態の略図。
【発明を実施するための形態】
【００１６】
図１は、提案の脱毛装置１の代表的な実施形態の略図である。脱毛装置１は、アキュムレータのようなエネルギー源７０からエネルギーを得るモーター８１が駆動する脱毛ヘッド８０を有する。更に、脱毛装置１は蒸発器ユニット１０を有する。蒸発器ユニット１０は、容器１５内に貯蔵される適用材料５０を蒸発させるための蒸発器１１を備える。ポンプ１４をオン又はオフに選択的に切り替えることによって、導管１６を介して適用材料５０を蒸発器１１に移送することができる。適用材料５０は水のような液体であってもよい。
【００１７】
加熱ユニット１２及び冷却ユニット１３は、適用材料５０が蒸発器１１に到達する前に適用材料５０を選択的に加熱及び／又は冷却するために、導管１６と一体化される。加熱ユニット１２は、連続流ヒータのような電気ヒータとして構成できる。冷却ユニット１３は、ペルチェ装置のような熱電クーラ（加熱ユニット又は加熱・冷却両用ユニットの具現化にも使用可能）によって具現化できる。
【００１８】
蒸発器１１、容器１５、加熱装置１２、冷却装置１３、ポンプ１４、及び導管１６は、図１に点線で示されるように、蒸発器ユニット１０の部分である。
【００１９】
通常操作中、脱毛装置１は、図１に概略を示すように、使用者の皮膚９０上で使用方向Ｂに沿って前進する。操作されているとき、脱毛ヘッド８０は使用者の皮膚９０に生えている体毛９１を把持し、引き抜く。当該技術分野において脱毛ヘッドは周知であり、本開示はあらゆる種類の具現を包含する（例えば、国際特許第２００６／０３７３９２  Ａ１号は、脱毛ヘッドの回転中に体毛を把持して引き抜くための複数のピンセットを有するモーター駆動式円筒形脱毛ヘッドを開示している）。蒸発器１１は、使用方向Ｂに対して脱毛ヘッド８０の前方にある立体角エリアに、蒸発した適用材料５１（例えばエアロゾルの形態で）を提供する。蒸発した適用材料５１は、微細な液滴の層で使用者の皮膚９０及び体毛９１の表面を覆う。使用者の身体がもたらす熱エネルギーによって微細な液滴が蒸発することにより、その皮膚エリアが冷却される。メントールのような冷却剤を適用材料５０に添加することによって冷却効果を増強することができる。また、蒸発の前に冷却ユニット１３で適用材料５０を冷却することによって冷却を増強することもできる。
【００２０】
適用材料５０は、すでに皮膚温より低い室温（例えば２１℃）で容器１５に貯蔵することができる。冷却ユニット１３は、適用材料５０を例えば１０℃の温度、又は０℃若しくは更に０℃未満の温度に、更に冷却することができる。適用材料５０は、蒸発方法に依存して、蒸発中の断熱膨張により更に冷却することができる。液滴の代わりに、適用材料の凍結粒子の微細なミストを皮膚に適用することができる。冷却効果を用いて皮膚の神経を脱感作することにより、脱毛中の引き抜きで感じる痛みを低減することができる。代替実施形態では、蒸発した適用材料５１を蒸発器１１が使用方向Ｂに対して脱毛ヘッド８０の後方にある皮膚エリアに提供するにつれて、皮膚９０がリフレッシュされる。あるいは、加熱効果を使ってもよい。加熱効果を採用するためには、蒸発工程の前に適用材料５０を加熱ユニット１２によって加熱する。蒸発は、適用材料５０の蒸発温度未満の温度で行われる。代表的な実施形態では、脱毛装置は、使用方向Ｂに対して脱毛ヘッドの前方又は後方にある皮膚エリアに適用材料を適用することができる２つの蒸発器を（又は２つの蒸発器ユニットでさえ）備えるので、蒸発器の１つは冷却された適用材料を適用することができ、一方、もう１つの蒸発器は加熱された適用材料を適用する。
【００２１】
別の実施形態（図示せず）では、脱毛装置１は、例えば、単一の蒸発器１０によって蒸発するか、又は２つの蒸発器で個別に蒸発することになる異なる適用材料を含む２つの容器１５を有し、２つの蒸発器のそれぞれが、それらの容器の１つに接続されている。２つの適用材料は、混合されたときに吸熱又は放熱化学反応を起こして、それぞれ皮膚を冷却又は加熱するように選択できる。
【００２２】
図１の脱毛装置１は、少なくとも１つの、ＬＥＤのような光源２２を備える照明ユニット２０を有する。そして、光線又は光円錐２１は、蒸発した適用材料５１を照らすことができる。照明ユニット２０は、冷却効果又は加熱効果がそれぞれ採用されていることを使用者に視覚的に示すために、第１の明色（例えば青色）と第２の明色（例えば赤色）の間で切り替え可能である。また、脱毛装置１は、使用者が蒸発器ユニット１０及び／又は照明ユニット２０をオン若しくはオフに選択的に切り替えること、及び／又は冷却効果又は加熱効果のどちらを採用すべきか選択することを可能にするために、制御ユニット６０を有する。
【００２３】
代替方法として、又は追加的に、リチウムイオン・アキュムレータのような（充電可能な）エネルギー源７０からの電圧を得るために、脱毛装置１は、コンセント式電圧（図示せず）への接続を介して電圧を得ることができる。また、エネルギー源７０及び／又はコンセント式電圧は、ポンプ１４、加熱ユニット１２、冷却ユニット１３、蒸発器１０、照明装置２０、及び制御ユニット６０のような、脱毛装置１に存在する多様な負荷にも接続される。図を簡潔にするために、図１には結線を図示していない。
【００２４】
加熱ユニット１２及び冷却ユニット１３は、容器１５と蒸発器１１とを接続する導管１６を介した構成で図示されているが、加熱ユニット１２及び／又は冷却ユニット１３は蒸発器ユニット１０における任意の適切な場所で構成され得る。例えば、容器１５及び／又は蒸発器１１を加熱ユニット１２及び／又は冷却ユニット１３に熱的に連結することができる。
【００２５】
図２は、提案の脱毛装置の別の代表的な実施形態の略図である。脱毛装置１は手持ち部１’と蒸発器ステーション１０’とを備える。手持ち部１’は、使用者の皮膚９０から体毛９１を把持して引き抜くための脱毛ヘッド８０を有する。
【００２６】
蒸発器ステーション１０’は、水又は脱毛前処理ローションのような適用材料５０を貯蔵する容器１５を有する。容器１５は蒸発器１１と接続されている。容器１５は、適用材料５０が圧力下で貯蔵される圧力貯留器として具現化することができる。そして、蒸発器１１を噴霧ノズルとして具現化することができる。あるいは、適用材料５０を、圧力下で貯蔵される、噴霧缶からの既知の噴射剤と共に容器に貯蔵してもよい。そして、蒸発器１１を２流体ノズルとして具現化することができる。また、その他の実施形態も可能であり、例えば、蒸発器１１を機械的アトマイザー又は超音波アトマイザーとして具現化することができる。図２の点線が示すように、蒸発器ステーション１０’、蒸気コネクタ１８、及び出口１７が蒸発器ユニット１０を形成する。
【００２７】
操作中、蒸発した適用材料は、蒸発器ステーション１０’内に構成された蒸発器１１から、可撓性のチューブなどで蒸気輸送用に適応された蒸気コネクタ１８を介して、手持ち部１’に移送される。図２は一体成形の蒸気コネクタ１８を示しているが、蒸気コネクタ１８をいくつかの部品で組み立ててもよい。例えば、蒸気コネクタ１８を流入点で手持ち部１’にフランジ接続することができる。手持ち部１’は内部に構成されたコネクタを有し、蒸発した適用材料はこのコネクタを通して注ぎ口のような出口１７に移送される。出口１７は蒸発した適用材料５０を選択された立体角エリアに導くように構成されるので、脱毛装置１が使用者の皮膚の上の使用方向Ｂに沿って前進するとき、蒸発した適用材料５１のストリームが使用者の皮膚９０及び体毛９１の表面を覆う。図２の実施形態では、蒸発した適用材料５１は使用方向Ｂに対して脱毛ヘッド８０の前方にある皮膚エリアの表面を覆う。別の実施形態では（図示せず）、蒸発した適用材料５１は、使用方向Ｂに対して脱毛ヘッド８０の後方にある皮膚エリアの表面を覆う。更に別の実施形態では（図示せず）、蒸気コネクタ１８は出口１７を有し、手持ち部１’に装着できるように蒸気コネクタ１８が構成される。この実施形態では、蒸発した適用材料を移送するための内部コネクタを手持ち部１’内に設ける必要がない。概して、蒸気コネクタ１８及び／又は出口１７は、凝集した適用材料が出口１７から滴下するのを防ぐように装備することができる。
【００２８】
図２に図示した脱毛装置１は、蒸発した適用材料で表面を覆われる皮膚に空気のようなガスストリーム４１を吹きかけるように、手持ち部１’内に構成されたブロアユニット４０を有する。ブロアユニット４０はモーター駆動式ファンとして具現化できる。ガスストリーム４１は、皮膚の表面を覆う適用材料の蒸発を支援し、表面を覆われる皮膚エリアのすばやい冷却を実現する。あるいは、加圧容器からノズルを通してガスストリーム４１を放出するようにブロアユニット４０を構成することができる。加圧容器から放出されるガスが断熱膨張を経るにつれて、ガスは冷却され、皮膚の冷却を支援する。ブロアユニットの代わりに吸引ユニットを脱毛装置内に構成して、吸引によってガスストリームを生成することができる。
【００２９】
制御ユニット６０、又は加熱ユニット１２及び冷却ユニット１３のような図１に示すいくつかの特徴は、図２では簡潔にするために割愛されている。図１及び図２に図示した全ての明らかな特徴の組み合わせ、並びに上述したのみの特徴は、本開示の主題に包含されるものであり、提案の脱毛装置は多様なあらゆる特徴及びバリエーションを含むことができる。
【００３０】
適用材料を貯蔵するための図１及び図２に図示した容器１５は、脱毛装置１に取り外し可能に装着できるので、異なる適用材料を使用すること、又は空の容器を容易に別の容器と交換することができる。適用材料５０を圧力下で貯蔵できると記述したが、圧力をかけずに適用材料５０を貯蔵することもまた可能であり、例えば、適用材料５０を、操作中、蒸発器の上に来るように配列される可撓性の袋に貯蔵することができる。そして、弁を開閉し重力を利用することにより、適用材料を蒸発器１１に選択的に移送することができる。蒸発器ユニット１０の上述の具現化はあくまで代表例に過ぎず、当業者に明白な他の任意の具現化も本開示に包含されるものとする。
【００３１】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【図１】
2011515131.tif 000003
【図２】
2011515131.tif 000004
【国際調査報告】
2011515131.tif 000005
2011515131.tif 000006
2011515131.tif 000007